(57)【要約】  送信装置は、第１の撮影手段と、第２の撮影手段と、第２の撮影手段が撮影した画像から所定の画像を抽出する抽出手段と、第１の撮影手段が撮影した画像と抽出手段が抽出した所定の画像とを合成して合成画像を生成する合成手段と、合成画像を送信する送信手段と、を含む。
2012144250.tif 000002
【特許請求の範囲】
【請求項１】
第１の撮影手段と、
第２の撮影手段と、
前記第２の撮影手段が撮影した画像から所定の画像を抽出する抽出手段と、
前記第１の撮影手段が撮影した画像と前記抽出手段が抽出した所定の画像とを合成して合成画像を生成する合成手段と、
前記合成画像を送信する送信手段と、を含む送信装置。
【請求項２】
請求項１に記載の送信装置において、
前記合成手段は、
前記第１の撮影手段が撮影した画像内での前記所定の画像の位置を指定するための位置指定操作を検出する操作検出手段と、
前記第１の撮影手段が撮影した画像内における前記位置指定操作にて指定された位置に、前記抽出手段が抽出した所定の画像を合成して、前記合成画像を生成する生成手段と、を含む、送信装置。
【請求項３】
請求項２に記載の送信装置において、
前記操作検出手段は、さらに、前記抽出手段が抽出した所定の画像のサイズを指定するためのサイズ指定操作を検出し、
前記生成手段は、前記合成画像内の所定の画像のサイズを、前記サイズ指定操作にて指定されたサイズに設定する、送信装置。
【請求項４】
請求項１から３のいずれか１項に記載の送信装置において、
前記合成画像を表示する表示手段をさらに含む、送信装置。
【請求項５】
請求項１から４のいずれか１項に記載の送信装置において、
音を検出する音検出手段をさらに含み、
前記送信手段は、前記合成画像と共に前記音検出手段の検出結果を送信する、送信装置。
【請求項６】
請求項１から５のいずれか１項に記載の送信装置において、
前記所定の画像は、手の画像である、送信装置。
【請求項７】
第１の撮影手段と第２の撮影手段とを含む送信装置が行う送信方法であって、
前記第２の撮影手段が撮影した画像から所定の画像を抽出する抽出ステップと、
前記第１の撮影手段が撮影した画像と前記所定の画像とを合成して合成画像を生成する合成ステップと、
前記合成画像を送信する送信ステップと、を含む送信方法。
【請求項８】
コンピュータを、
第１の撮影手段、
第２の撮影手段、
前記第２の撮影手段が撮影した画像から所定の画像を抽出する抽出手段、
前記第１の撮影手段が撮影した画像と前記抽出手段が抽出した所定の画像とを合成して合成画像を生成する合成手段、および、
前記合成画像を送信する送信手段として機能させるためのプログラム。
【発明の詳細な説明】
【技術分野】
【０００１】
本発明は、送信装置、送信方法および記録媒体に関し、特には、画像を送信する送信装置、送信方法および記録媒体に関する。
【背景技術】
【０００２】
特許文献１には、第１撮影用レンズと第２撮影用レンズとを備えたテレビ電話機能付きの携帯端末が記載されている。特許文献１に記載の携帯端末は、第１撮影用レンズで撮影されたユーザの目の前の風景や物体の画像と、第２撮影用レンズで撮影されたユーザの画像と、を組み合わせた画像を、通信相手の携帯端末に送信可能である。
【先行技術文献】
【特許文献】
【０００３】
【特許文献１】特開２００１−１６９１６６号公報
【発明の概要】
【発明が解決しようとする課題】
【０００４】
特許文献１に記載の携帯端末のユーザＡが、特許文献１に記載の携帯端末を用いて、通信相手の携帯端末のユーザＢに、ある機器Ｃの操作方法を伝える場合、ユーザＡは、機器Ｃを操作しながら、自己と機器Ｃの操作箇所とを撮影する必要がある。【０００５】
この場合、ユーザＡは、被写体と撮影者と操作説明者とを同時に兼ねることになる。このため、ユーザＡの負担が大きく、機器Ｃの操作および撮影のいずれか、または全てが不十分な状態になりやすく、機器Ｃの操作方法に関する情報を十分に伝達することが困難となるという課題があった。【０００６】
本発明の目的は、上記課題を解決可能な送信装置、送信方法および記録媒体を提供することである。
【課題を解決するための手段】
【０００７】
本発明の送信装置は、第１の撮影手段と、第２の撮影手段と、前記第２の撮影手段が撮影した画像から所定の画像を抽出する抽出手段と、前記第１の撮影手段が撮影した画像と前記抽出手段が抽出した所定の画像とを合成して合成画像を生成する合成手段と、前記合成画像を送信する送信手段と、を含む。【０００８】
本発明の送信方法は、第１の撮影手段と第２の撮影手段とを含む送信装置が行う送信方法であって、前記第２の撮影手段が撮影した画像から所定の画像を抽出する抽出ステップと、前記第１の撮影手段が撮影した画像と前記所定の画像とを合成して合成画像を生成する合成ステップと、前記合成画像を送信する送信ステップと、を含む。【０００９】
本発明の記録媒体は、コンピュータを、第１の撮影手段、第２の撮影手段、前記第２の撮影手段が撮影した画像から所定の画像を抽出する抽出手段、前記第１の撮影手段が撮影した画像と前記抽出手段が抽出した所定の画像とを合成して合成画像を生成する合成手段、および、前記合成画像を送信する送信手段として機能させるプログラムを記録したコンピュータ読み取り可能な記録媒体である。
【発明の効果】
【００１０】
本発明によれば、機器の操作方法の伝達を容易にすることが可能になる。
【図面の簡単な説明】
【００１１】
【図１】本発明の一実施形態の送信装置の一例である電子機器１を示した機能ブロック図である。
【図２Ａ】電子機器１の平面図である。
【図２Ｂ】電子機器１の平面図である。
【図３】手の画像を抽出する動作を説明するためのフローチャートである。
【図４】画像合成の作成および送信に関する動作を説明するためのフローチャートである。
【図５】送信制御部１７に出力される合成画像の一例を示した図である。
【図６】撮像部１１と撮像部１２と抽出部１３と合成部１４と送信制御部１７とからなる電子機器１を示した図である。
【発明を実施するための形態】
【００１２】
以下、本発明の一実施形態を図面を参照して説明する。
【００１３】
図１は、本発明の一実施形態の送信装置の一例である電子機器１を示した機能ブロック図である。図２Ａは、電子機器１の正面図である。図２Ｂは、電子機器１の背面図である。
【００１４】
電子機器１は、例えば、携帯電話機またはスマートフォンである。なお、電子機器１は、携帯電話機またはスマートフォンに限らず、例えば、携帯型ゲーム機、タブレット型ＰＣ（Personal  Computer）、または、ノート型ＰＣでもよい。
【００１５】
電子機器１は、撮像部１１および１２と、抽出部１３と、合成部１４と、表示部１５と、マイク１６と、送信制御部１７と、を含む。
【００１６】
撮像部１１は、一般的に第１の撮影手段と呼ぶことができる。
【００１７】
撮像部１１は、カメラであり撮像画像を出力する。以下、撮像部１１から出力された撮像画像を「撮像画像Ａ」と称する。撮像部１１は、図２Ｂに示すように、電子機器１の背面１ａに設けられている。
【００１８】
撮像部１２は、一般的に第２の撮影手段と呼ぶことができる。
【００１９】
撮像部１２は、カメラであり撮像画像を出力する。以下、撮像部１２から出力された撮像画像を「撮像画像Ｂ」と称する。撮像部１２は、図２Ａに示すように、電子機器１の正面１ｂに設けられている。
【００２０】
抽出部１３は、一般的に抽出手段と呼ぶことができる。
【００２１】
抽出部１３は、撮影画像Ｂ（撮像部１２が撮影した画像）から、人の手の画像（以下、単に「手の画像」と称する）を抽出する。手の画像は、一般的に所定の画像と呼ぶことができる。なお、所定の画像は、手の画像に限らず適宜変更可能である。抽出部１３は、パターンＤＢ（データベース）１３ａと、画像切り出し処理部１３ｂと、を含む。
【００２２】
パターンＤＢ１３ａは、手の画像を抽出するために使用される手のパターンベクトルを保持する。
【００２３】
画像切り出し処理部１３ｂは、パターンＤＢ１３ａ内の手のパターンベクトルを用いた画像認識技術を使って、撮影画像Ｂから人の手を判別し、撮影画像Ｂから手の画像を抽出する。
【００２４】
合成部１４は、一般的に合成手段と呼ぶことができる。
【００２５】
合成部１４は、撮影画像Ａ（撮像部１１が撮影した画像）と、画像切り出し処理部１３ｂが抽出した手の画像と、を合成して合成画像を生成する。合成部１４は、指定部１４ａと、生成部１４ｂと、を含む。
【００２６】
指定部１４ａは、一般的に操作検出手段と呼ぶことができる。
【００２７】
指定部１４ａは、例えば、複数のキーボタンで構成されるキーパッドである。指定部１４ａは、画像切り出し処理部１３ｂが抽出した手の画像の撮影画像Ａ内での位置ＰＴを指定するためのユーザの位置指定操作を検出し、また、画像切り出し処理部１３ｂが抽出した手の画像のサイズＳＺを指定するためのユーザのサイズ指定操作を検出する。
【００２８】
なお、指定部１４ａは、撮影画像Ａ内での手の画像のデフォルト位置ＤＰを表す基本位置情報と、手の画像のデフォルトサイズＤＳを表す基本サイズ情報と、を記憶している。
【００２９】
本実施形態では、指定部１４ａは、図２Ａに示すように、矢印キー２１と、決定キー２２と、キャンセルキー２３と、切り換えキ―２４と、を含む。
【００３０】
矢印キー２１は、撮影画像Ａ内での手の画像の位置ＰＴを上下左右に移動するためのユーザの位置指定操作と、撮影画像Ａ内での手の画像のサイズＳＺを拡大または縮小するためのユーザのサイズ指定操作と、を検出する。
【００３１】
決定キー２２は、ユーザの操作内容を決定するためのユーザの決定操作を検出する。
【００３２】
キャンセルキー２３は、ユーザの操作内容をキャンセルするためのユーザのキャンセル操作を検出する。
【００３３】
切り換えキー２４は、矢印キー２１の機能を、移動または拡大縮小に切り換えるためのユーザの切り換え操作を検出する。本実施形態では、矢印キー２１の機能は、デフォルトでは移動に設定されている。
【００３４】
矢印キー２１の機能が移動に設定されている状況下では、上向きの矢印キーの操作が、位置ＰＴを上に移動するための位置指定操作となり、下向きの矢印キーの操作が、位置ＰＴを下に移動するための位置指定操作となり、左向きの矢印キーの操作が、位置ＰＴを左に移動するための位置指定操作となり、右向きの矢印キーの操作が、位置ＰＴを右に移動するための位置指定操作となる。
【００３５】
また、矢印キー２１の機能が拡大縮小に設定されている状況下では、上向きの矢印キーの操作が、サイズＳＺを拡大するためのサイズ指定操作となり、下向きの矢印キーの操作が、サイズＳＺを縮小するためのサイズ指定操作となる。
【００３６】
生成部１４ｂは、一般的に生成手段と呼ぶことができる。
【００３７】
生成部１４ｂは、位置指定操作にて指定された撮像画像Ａ内の位置ＰＴに、画像切り出し処理部１３ｂが抽出した手の画像を合成して、合成画像を生成する。また、生成部１４ｂは、合成画像内の手の画像のサイズを、サイズ指定操作にて指定されたサイズＳＺに設定する。生成部１４ｂは、映像用メモリ１４ｂ１と、画像合成部１４ｂ２と、を含む。
【００３８】
映像用メモリ１４ｂ１は、背景用メモリ１４ｂ１ａと、合成用メモリ１４ｂ１ｂと、を含む。背景用メモリ１４ｂ１ａは、撮像画像Ａを保持する。合成用メモリ１４ｂ１ｂは、画像切り出し処理部１３ｂが抽出した手の画像を保持する。
【００３９】
画像合成部１４ｂ２は、背景用メモリ１４ｂ１ａに保持された撮像画像Ａ上の位置ＰＴに、合成用メモリ１４ｂ１ｂに保持された手の画像をサイズＳＺで重ね合わせて、合成画像を生成する。
【００４０】
表示部１５は、一般的に表示手段と呼ぶことができる。表示部１５は、画像合成部１４ｂ２が生成した合成画像を表示する。
【００４１】
マイク１６は、一般的に音検出手段と呼ぶことができる。マイク１６は、音を検出し、その音に応じた音データを生成する。
【００４２】
送信制御部１７は、一般的に送信手段と呼ぶことができる。送信制御部１７は、画像合成部１４ｂ２が生成した合成画像と共に、マイク１６が生成した音データを、通話相手である通信機器（例えば、携帯端末装置）に送信する。
【００４３】
以上、本実施形態の構成を説明したが、電子機器１において、テレビ電話機能に係わらない回路構成は、当業者にとってよく知られており、その詳細な構成は省略する。
【００４４】
次に、動作を説明する。
【００４５】
以下の説明では、電子機器１のユーザは、操作方法が説明される機器を撮像部１１にて撮像し、自分自身を撮像部１２にて撮像しているとする。
【００４６】
図３は、撮像部１２からの撮像画像Ｂから手の画像を抽出する動作を説明するためのフローチャートである。
【００４７】
画像切り出し処理部１３ｂは、撮像部１２で撮影された撮像画像Ｂを取得すると（ステップＳ３１）、撮像画像Ｂから物体のエッジを抽出する（ステップＳ３２）。
【００４８】
次に、画像切り出し処理部１３ｂは、抽出されたエッジにて囲まれた範囲の画像にて特定されるエッジ画像における特徴点を抽出し（ステップＳ３３）、特徴点からパターンベクトルを生成する（ステップＳ３４）。
【００４９】
次に、画像切り出し処理部１３ｂは、パターンＤＢ１３ａに保存してある手のパターンベクトルとステップＳ３４で生成されたパターンベクトルとの照合を行う（ステップＳ３５）。
【００５０】
パターンＤＢ１３ａ内の手のパターンベクトルとステップＳ３４で生成されたパターンベクトルが一致しない場合（ステップＳ３６）、画像切り出し処理部１３ｂは、処理をステップＳ３１に戻す。
【００５１】
パターンＤＢ１３ａ内の手のパターンベクトルとステップＳ３４で生成されたパターンベクトルが一致した場合（ステップＳ３６）、画像切り出し処理部１３ｂは、抽出されたエッジにて囲まれた範囲の画像、つまり手の画像を、撮像画像Ｂから切り出し（ステップＳ３７）、切り出された手の画像を合成用メモリ１４ｂ１ｂに出力する（ステップＳ３８）。
【００５２】
画像切り出し処理部１３ｂは、手の画像を合成用メモリ１４ｂ１ｂに出力すると、手の画像の抽出動作を終了する。
【００５３】
図４は、画像合成の作成および送信に関する動作を説明するためのフローチャートである。
【００５４】
背景用メモリ１４ｂ１ａが撮像部１１から出力された撮像画像Ａを保持し、合成用メモリ１４ｂ１ｂが画像切り出し処理部１３ｂから出力された手の画像を保持している状況において、画像合成部１４ｂ２は、背景用メモリ１４ｂ１ａ内の撮像画像Ａを取得し（ステップＳ４１）、合成用メモリ１４ｂ１ｂ内の手の画像を取得する（ステップＳ４２）。
【００５５】
次に、画像合成部１４ｂ２は、指定部１４ａ内の基本位置情報および基本サイズ情報を取得する（ステップＳ４３）。
【００５６】
次に、画像合成部１４ｂ２は、基本位置情報にて指定された撮像画像Ａ上の位置（デフォルト位置ＤＰ）に、合成用メモリ１４ｂ１ｂ内の手の画像を、基本サイズ情報にて指定されたサイズ（デフォルトサイズＤＳ）で重ね合わせて、合成画像を生成する（ステップＳ４４）。
【００５７】
次に、画像合成部１４ｂ２は、表示部１５に合成画像を表示する（ステップＳ４５）。
【００５８】
ユーザは、合成画像内の手の画像の位置を変更する場合、表示部１５上に表示された合成画像を確認しながら、矢印キー２１を操作する。画像合成部１４ｂ２は、矢印キー２１の操作内容に従って、合成画像内の手の画像の位置を上下左右に移動し、その移動結果を表示部１５に表示する（ステップＳ４６）。なお、矢印キー２１が操作されない場合、ステップＳ４６は省略される。
【００５９】
また、ユーザは、合成画像内の手の画像のサイズを変更する場合、まず、矢印キー２１の機能を「移動」から「拡大縮小」に変更するために切り換えキー２４を押下し、その後、矢印キー２１を操作する。
【００６０】
画像合成部１４ｂ２は、切り換えキー２４が押下されると、矢印キー２１の機能を「移動」から「拡大縮小」に変更する。この状況で、矢印キー２１が操作されると、画像合成部１４ｂ２は、矢印キー２１の操作内容に従って、合成画像内の手の画像のサイズを変更し、その変更結果を表示部１５に表示する（ステップＳ４７）。なお、切り換えキー２４と矢印キー２１が操作されない場合、ステップＳ４７は省略される。
【００６１】
なお、ステップＳ４６とステップＳ４７は、決定キー２２が操作されるまで実行される（ステップＳ４８）。
【００６２】
その後、決定キー２２が操作されると、画像合成部１４ｂ２は、合成画像内の手の画像の位置およびサイズを、表示部１５に表示されている状態に確定し（ステップＳ４８）、手の画像の位置およびサイズが画定された合成画像を、送信制御部１７に出力する（ステップＳ４９）。
【００６３】
図５は、送信制御部１７に出力される合成画像の一例を示した図である。
【００６４】
図５において、合成画像５１は、撮像画像Ａである画像５２上に手の画像５３が合成された画像である。
【００６５】
送信制御部１７は、画像合成部１４ｂ２からの合成画像とマイク１６からの音データとを、テレビ電話用のフォーマットに合成し、その合成結果を通話相手である通信機器に送信する（ステップＳ５０）。
【００６６】
次に、本実施形態の効果を説明する。
【００６７】
本実施形態によれば、抽出部１３は、撮像部１２の撮像画像Ｂから手の画像を抽出する。合成部１４は、撮像部１１の撮影画像Ａと抽出部１３が抽出した手の画像とを合成して合成画像を生成する。送信制御部１７は、合成部１４が生成した合成画像を送信する。
【００６８】
このため、撮像部１１が、操作方法が説明される機器を撮像し、撮像部１２がユーザを撮像すれば、撮像部１１が撮像した機器の画像に手の画像が合成された合成画像が送信される。
【００６９】
したがって、ユーザは、自らが機器を操作しながら自らが機器を操作している画像を撮像しなくても、機器の操作位置等を手で示す画像を通信相手に送信することができる。また、例えば、実際に操作しながらの撮影が困難な機器（例えば、自走式の機器）についても、機器の操作位置等を手で示す画像を通信相手に送信することができる。
【００７０】
よって、ユーザは、機器の操作位置等を手で示す画像、つまり、機器の操作方法を説明するための画像を容易に得ることができ、ユーザの負担を軽減することが可能になる。
【００７１】
そして、ユーザの負担が軽減することで、ユーザは、電子機器１を用いて、撮像された機器の操作方法に関する情報を高い精度で具体的に伝達することが容易になる。
【００７２】
機器の操作方法に関する情報の精度が高くなると、機器の操作方法の伝達に要する時間を短くすることが可能になり、よって、通信に要する費用を低くすることが可能になる。
【００７３】
なお、この効果は、撮像部１１と撮像部１２と抽出部１３と合成部１４と送信制御部１７とからなる電子機器でも奏する。図６は、撮像部１１と撮像部１２と抽出部１３と合成部１４と送信制御部１７とからなる電子機器１を示した図である。
【００７４】
また、本実施形態では、指定部１４ａは、撮像画像Ａ内での手の画像の位置を指定するための位置指定操作を検出する。生成部１４ｂは、撮像画像Ａ内における位置指定操作にて指定された位置に手の画像を合成して合成画像を生成する。
【００７５】
この場合、ユーザは、撮像画像Ａ内での手の画像の位置を任意の位置に設定することが可能になる。
【００７６】
また、本実施形態では、指定部１４ａは、撮像画像Ａ内での手の画像のサイズを指定するためのサイズ指定操作を検出する。生成部１４ｂは、合成画像内の手の画像のサイズを、サイズ指定操作にて指定されたサイズに設定する。
【００７７】
この場合、ユーザは、撮像画像Ａ内での手の画像のサイズを任意のサイズに設定することが可能になる。
【００７８】
また、本実施形態では、表示部１５は合成画像を表示する。
【００７９】
この場合、ユーザは、送信される合成画像を確認することが可能になる。また、ユーザは、表示部１５に表示された合成画像を確認しながら、位置指定操作やサイズ指定操作を行うことができ、撮像画像Ａ内での手の画像の位置やサイズを適切に設定することが可能になる。
【００８０】
また、本実施形態では、マイク１６は音を検出する。送信制御部１７は、合成画像と共にマイク１６での音の検出結果を送信する。
【００８１】
この場合、ユーザは、合成画像の他に音を用いて機器の操作方法を伝達することができる。
【００８２】
また、本実施形態では、所定の画像として手の画像が用いられる。
【００８３】
手は、ユーザの意思にて様々な形態に変えられ、日常でも、指示または説明が行われる際に使用される。このため、所定の画像として手の画像が用いられると、合成画像を見た者は、直感的に、手の画像にて指示された対象（機器）に注目する可能性が高い。よって、機器の操作方法の伝達をスムーズに行うことが可能になる。
【００８４】
本実施形態によれば、ユーザである発話者がテレビ電話を用いて機器の操作方法を伝達しようとする際に、無理なく撮影ができ、手の画像が指定している位置（例えば、機器の操作位置）を容易に確認し調整できるため、正確にかつ具体的に通話相手に操作指示を伝達することができる。手の画像の合成位置を指定する際には、ユーザは、例えば、右手を使って場所を指し示し左手で電子機器１を持って撮影を行いながら左手を使って指定部１４ａを操作する、または、右手と左手の使い方を逆にして操作を行う。
【００８５】
本実施形態は、以下のように変更されてもよい。
【００８６】
撮像画像Ａ内での手の画像の位置が確定した後に、画像切り出し処理部１３ｂが行う画像切り出し動作（手の画像の抽出動作）と、画像合成部１４ｂ２が行う画像合成動作とを、連続的に行い、画像合成部１４ｂ２が、撮像画像Ｂからの手の画像の抽出位置の変化に合わせて、撮像画像Ａ内での手の画像の位置を変化させてもよい。なお、この場合、画像切り出し処理部１３ｂは、撮像画像Ｂからの手の画像の抽出位置を、画像合成部１４ｂ２に出力する。
【００８７】
また、本実施形態では、手の画像の背景となる画像として、撮像部１１の撮影画像Ａを使用したが、手の画像の背景となる画像として、通話相手からテレビ電話にて送信された画像（受信画像）を利用してもよい。また、手の画像の背景となる画像として、電子機器１内に保存してある静止画や動画の画像を使用してもよい。
【００８８】
また、手の画像を適宜変更可能なようにしてもよい。例えば、指定部１４ａ内の所定のキーを操作すると、例えば、決定キー２２と切り換えキー２４との両方を同時に操作すると、画像切り出し処理部１３ｂが手の画像の再抽出を行って、合成メモリ１４ｂ１ｂ内の手の画像を変更する。
【００８９】
この場合、ユーザは、指を１本出した手の画像で、細かな場所や方向を示し、開いた状態の手の画像で、ある範囲を示したりすることが可能になる。また、ユーザは、手のひらを垂直にした状態の手の画像で、境目を示すことも可能となる。このように、手の画像を変更すれば、指示の理解を容易にすることが可能になる。
【００９０】
なお、上記実施形態では、指定部１４ａはキーボタンでユーザの操作を検出するが、指定部１４ａはキーボタンの代わりにタッチパネルなど他の入力部でユーザの操作を検出してもよい。例えば、指定部１４ａがタッチパネルでユーザの操作を検出する場合には、表示部１５上にタッチパネルが配置され、ユーザの指等の指示部にて、表示部１５に表示された撮像画像Ａ上での手の画像の位置が直接指定されてもよい。
【００９１】
また、電子機器１は、コンピュータにて実現されてもよい。この場合、コンピュータは、コンピュータにて読み取り可能なＣＤ−ＲＯＭ（Compact  Disk  Read  Only  Memory）のような記録媒体に記録されたプログラムを読込み実行して、撮像部１１および１２、抽出部１３、合成部１４、表示部１５、マイク１６、および、送信制御部１７として機能する。記録媒体は、ＣＤ−ＲＯＭに限らず適宜変更可能である。また、電子機器１は、撮像部１１および１２と接続されたコンピュータにて実現されてもよい。この場合、このコンピュータは記録媒体に記録されたプログラムを読込み実行して、抽出部１３、合成部１４、表示部１５、マイク１６、および、送信制御部１７として機能する。
【００９２】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００９３】
この出願は、２０１１年４月１８日に出願された日本出願特願２０１１−０９２２８６を基礎とする優先権を主張し、その開示の全てをここに取り込む。
【符号の説明】
【００９４】
１          電子機器
１１、１２  撮像部
１３        抽出部
１３ａ      パターンＤＢ
１３ｂ      画像切り出し処理部
１４        合成部
１４ａ      指定部
１４ｂ      生成部
１４ｂ１    映像用メモリ
１４ｂ１ａ  背景用メモリ
１４ｂ１ｂ  合成用メモリ
１４ｂ２    画像合成部
１５        表示部
１６        マイク
１７        送信制御部
【図１】
2012144250.tif 000003
【図２Ａ】
2012144250.tif 000004
【図２Ｂ】
2012144250.tif 000005
【図３】
2012144250.tif 000006
【図４】
2012144250.tif 000007
【図５】
2012144250.tif 000008
【図６】
2012144250.tif 000009
【国際調査報告】
2012144250.tif 000010
2012144250.tif 000011
2012144250.tif 000012
2012144250.tif 000013